(57)【特許請求の範囲】
【請求項１】
使い捨ておむつであって、
前方部、股下部および後方部を第１の方向に順に有する略シート状の本体部と、
前記後方部の両側部に取り付けられ、前記前方部の外面に止着されることにより、前記後方部の前記両側部を前記前方部の両側部に接続する一対の接続部と、
を備え、
展開状態における前記一対の接続部のそれぞれが、
前記後方部から前記第１の方向に垂直な左右方向である第２の方向へと延びる共通基部と、
前記第１の方向に配列されるとともにそれぞれが前記共通基部から前記第２の方向へと延びる２つの止着テープと、
を備え、
前記２つの止着テープのそれぞれが、
テープ状のテープ基部と、
前記テープ基部の内面に設けられ、前記前方部の前記外面に対して止着可能な止着部と、
前記テープ基部の前記内面において前記止着部と前記共通基部との間に設けられて前記前方部の前記外面に対して止着可能なもう１つの止着部と、
を備え、
使用前の状態における前記一対の接続部のそれぞれが、
前記共通基部の内面と前記本体部とが対向するように前記共通基部が折り返し線にて折り返された状態において前記本体部に対向する第１折返し部と、
前記止着部と前記共通基部の前記内面とが対向するように前記２つの止着テープが折り返された状態において前記本体部と前記第１折返し部との間に位置する２つの第２折返し部と、
を含み、
少なくとも、前記２つの第２折返し部の前記第１の方向における両側および間において、前記第１折返し部に仮止着用接着剤が設けられて前記第１折返し部が前記本体部に仮止着されており、
使用前の状態における各止着テープが、前記止着部と前記もう１つの止着部との間にて折り返された状態で、前記止着部が、前記第２の方向に関して前記もう１つの止着部と前記共通基部の前記折り返し線との間に位置し、
使用前の状態において、前記仮止着用接着剤が、前記第２の方向に関して前記各止着テープの前記止着部と前記もう１つの止着部との間に位置することを特徴とする使い捨ておむつ。
【請求項２】
請求項１に記載の使い捨ておむつであって、
前記仮止着用接着剤が、前記２つの第２折返し部にも設けられ、使用前の状態において、前記第１折返し部と共に前記２つの第２折返し部も前記本体部に仮止着されていることを特徴とする使い捨ておむつ。
【請求項３】
請求項２に記載の使い捨ておむつであって、
前記仮止着用接着剤が、前記第１折返し部および前記２つの第２折返し部上において前記第１の方向に連続して設けられていることを特徴とする使い捨ておむつ。
【請求項４】
請求項１に記載の使い捨ておむつであって、
使用前の状態において、前記２つの第２折返し部と前記本体部との間に前記仮止着用接着剤が存在しないことを特徴とする使い捨ておむつ。
【請求項５】
請求項１ないし４のいずれかに記載の使い捨ておむつであって、
前記共通基部が略矩形状であり、
展開状態における前記共通基部の前記本体部から最も離れた最外エッジにおいて、前記最外エッジの前記第１の方向の両端から離れた位置から、前記２つの止着テープが前記第２の方向へと延び、
前記最外エッジと前記仮止着用接着剤との間の前記第２の方向における距離が、前記最外エッジの前記両端から最寄りの止着テープの付け根位置までの前記第１の方向における距離よりも小さいことを特徴とする使い捨ておむつ。
【請求項６】
請求項１ないし５のいずれかに記載の使い捨ておむつであって、
前記各止着テープの前記止着部および前記もう１つの止着部が、前記前方部の前記外面に対して止着可能な微細フック構造を有し、
前記第１の方向における前記各止着テープの前記テープ基部の幅が、前記共通基部から離れるに従って漸次減少し、
前記もう１つの止着部が、前記第１の方向における前記テープ基部の全幅に亘って設けられることを特徴とする使い捨ておむつ。
【請求項７】
請求項１ないし５のいずれかに記載の使い捨ておむつであって、
互いに係合する微細フック構造および微細ループ構造のうち一方が前記本体部の前記前方部に設けられ、他方が前記止着部に設けられることを特徴とする使い捨ておむつ。
【発明の詳細な説明】
【技術分野】
【０００１】
本発明は、使い捨ておむつに関する。
【背景技術】
【０００２】
従来より、着用者からの排泄物を受ける使い捨ておむつの一つとして、着用者の腹側に接する部位と背側に接する部位とを止着テープにより腰周りで止着して着用するテープタイプのものが利用されている。テープタイプの使い捨ておむつでは、製造時等に止着テープが意図しない部位に止着してしまうことを防止するために、面ファスナ等の止着部を内側にして止着テープが折り返されて仮止着されていることが多い。
【０００３】
例えば、特許文献１の紙おむつでは、一対のサイドパネルが、紙おむつの左右の後身頃サイドフラップから左右方向に突出しており、各サイドパネルは、不織布からなる基材シートと、前身頃に止着するメカニカルファスナのオス材からなる止着部とを備える。基材シートは、略矩形の固定端部と、固定端部から左右方向に突出する２つの自由端部とを備え、各自由端部上に上記止着部が１つずつ設けられる。
【０００４】
特許文献１の紙おむつの製造工程では、サイドパネルの自由端部が、自由端部と固定端部との境界にて、止着部を内側にして固定端部側へと折り返される。固定端部では、折り返された止着部と重なる部位に接着剤が予め塗布されており、当該接着剤により、止着部が固定端部上に剥離可能に固定される。また、自由端部の止着部の裏側に接着剤が塗布され、後身頃サイドフラップの左右方向のエッジ（すなわち、後身頃サイドフラップとサイドパネルとの境界）近傍において、後身頃サイドフラップに接着剤が塗布される。そして、上記エッジにてサイドパネルが後身頃サイドフラップ上に折り返され、自由端部上の接着剤および後身頃サイドフラップ上の接着剤により、サイドパネルが後身頃サイドフラップ上に剥離可能に固定される。
【０００５】
また、特許文献２の使い捨ておむつでは、おむつ本体の後身頃の両測縁部にファスニングテープが配置され、各ファスニングテープの先端部に機械的ファスナのフック部材が設けられる。使い捨ておむつの使用前の状態では、ファスニングテープの先端部が、フック部材を内側にしてファスニングテープの中央部と重なるように折り返され、当該中央部に予め塗布された接着剤によりフック部材が仮止めされる。ファスニングテープは、さらに、中央部よりも内側にて折り返され、ファスニングテープのフック部材の裏側、あるいは、ファスニングテープの中央部よりも内側に塗布された接着剤により仮止めされる。
【先行技術文献】
【特許文献】
【０００６】
【特許文献１】特開２００４−２９８４５５号公報
【特許文献２】特開２００５−２９６６０３号公報
【発明の概要】
【発明が解決しようとする課題】
【０００７】
ところで、特許文献１の紙おむつでは、後身頃サイドフラップ上に固定されたサイドパネルにおいて、後身頃サイドフラップのエッジから離れた端部に接着剤が塗布されていないため、紙おむつの製造途上において、サイドパネルの当該端部が捲れてしまい、サイドパネルの後身頃サイドフラップからの意図しない剥離が生じてしまうおそれがある。また、特許文献２の使い捨ておむつにおいても同様に、折り返されたファスニングテープの端部に接着剤が塗布されていないため、ファスニングテープが端部から捲れて意図しない剥離が生じてしまうおそれがある。さらに、特許文献１および特許文献２のおむつでは、メカニカルファスナのオス材の裏側に接着剤が塗布されるが、オス材が設けられる部位は周囲の部位よりも厚くなるため、接着剤を塗布しにくい。
【０００８】
本発明は、上記課題に鑑みなされたものであり、本体部の後方部の両側部に一対の接続部が設けられた使い捨ておむつにおいて、接続部の共通基部の端部が本体部から離間することを抑制することを目的としている。
【課題を解決するための手段】
【０００９】
請求項１に記載の発明は、使い捨ておむつであって、前方部、股下部および後方部を第１の方向に順に有する略シート状の本体部と、前記後方部の両側部に取り付けられ、前記前方部の外面に止着されることにより、前記後方部の前記両側部を前記前方部の両側部に接続する一対の接続部とを備え、展開状態における前記一対の接続部のそれぞれが、前記後方部から前記第１の方向に垂直な左右方向である第２の方向へと延びる共通基部と、前記第１の方向に配列されるとともにそれぞれが前記共通基部から前記第２の方向へと延びる２つの止着テープとを備え、前記２つの止着テープのそれぞれが、テープ状のテープ基部と、前記テープ基部の内面に設けられ、前記前方部の前記外面に対して止着可能な止着部と、前記テープ基部の前記内面において前記止着部と前記共通基部との間に設けられて前記前方部の前記外面に対して止着可能なもう１つの止着部とを備え、使用前の状態における前記一対の接続部のそれぞれが、前記共通基部の内面と前記本体部とが対向するように前記共通基部が折り返し線にて折り返された状態において前記本体部に対向する第１折返し部と、前記止着部と前記共通基部の前記内面とが対向するように前記２つの止着テープが折り返された状態において前記本体部と前記第１折返し部との間に位置する２つの第２折返し部とを含み、少なくとも、前記２つの第２折返し部の前記第１の方向における両側および間において、前記第１折返し部に仮止着用接着剤が設けられて前記第１折返し部が前記本体部に仮止着されており、使用前の状態における各止着テープが、前記止着部と前記もう１つの止着部との間にて折り返された状態で、前記止着部が、前記第２の方向に関して前記もう１つの止着部と前記共通基部の前記折り返し線との間に位置し、使用前の状態において、前記仮止着用接着剤が、前記第２の方向に関して前記各止着テープの前記止着部と前記もう１つの止着部との間に位置する。
【００１０】
請求項２に記載の発明は、請求項１に記載の使い捨ておむつであって、前記仮止着用接着剤が、前記２つの第２折返し部にも設けられ、使用前の状態において、前記第１折返し部と共に前記２つの第２折返し部も前記本体部に仮止着されている。
【００１１】
請求項３に記載の発明は、請求項２に記載の使い捨ておむつであって、前記仮止着用接着剤が、前記第１折返し部および前記２つの第２折返し部上において前記第１の方向に連続して設けられている。
【００１２】
請求項４に記載の発明は、請求項１に記載の使い捨ておむつであって、使用前の状態において、前記２つの第２折返し部と前記本体部との間に前記仮止着用接着剤が存在しない。
【００１３】
請求項５に記載の発明は、請求項１ないし４のいずれかに記載の使い捨ておむつであって、前記共通基部が略矩形状であり、展開状態における前記共通基部の前記本体部から最も離れた最外エッジにおいて、前記最外エッジの前記第１の方向の両端から離れた位置から、前記２つの止着テープが前記第２の方向へと延び、前記最外エッジと前記仮止着用接着剤との間の前記第２の方向における距離が、前記最外エッジの前記両端から最寄りの止着テープの付け根位置までの前記第１の方向における距離よりも小さい。
【００１６】
請求項６に記載の発明は、請求項１ないし５のいずれかに記載の使い捨ておむつであって、前記各止着テープの前記止着部および前記もう１つの止着部が、前記前方部の前記外面に対して止着可能な微細フック構造を有し、前記第１の方向における前記各止着テープの前記テープ基部の幅が、前記共通基部から離れるに従って漸次減少し、前記もう１つの止着部が、前記第１の方向における前記テープ基部の全幅に亘って設けられる。
【００１７】
請求項７に記載の発明は、請求項１ないし５のいずれかに記載の使い捨ておむつであって、互いに係合する微細フック構造および微細ループ構造のうち一方が前記本体部の前記前方部に設けられ、他方が前記止着部に設けられる。
【発明の効果】
【００１８】
本発明では、接続部の共通基部の端部が本体部から離間することを抑制することができる。
【図面の簡単な説明】
【００１９】
【図１】第１の実施の形態に係る使い捨ておむつの平面図である。
【図２】使い捨ておむつの断面図である。
【図３】使い捨ておむつの斜視図である。
【図４】接続部近傍の平面図である。
【図５】接続部近傍の平面図である。
【図６】接続部近傍の断面図である。
【図７】接続部の平面図である。
【図８】第２の実施の形態に係る使い捨ておむつの接続部の平面図である。
【図９】接続部近傍の平面図である。
【図１０】他の接続部の平面図である。
【発明を実施するための形態】
【００２０】
図１は、本発明の第１の実施の形態に係る使い捨ておむつ１を広げた状態にて示す平面図である。使い捨ておむつ１は、着用者の腹側に当接する部位と背側に当接する部位とを、左右両側の接続部４により腰周りで止着して着用するテープタイプの使い捨ておむつであり、着用者からの排泄物を受ける。図１では、着用時に着用者に接する側（すなわち、着用者側）の面を手前にして使い捨ておむつ１を描いている。
【００２１】
図２は、使い捨ておむつ１を図１中に示すＡ−Ａの位置で長手方向（すなわち、図１中における上下方向）に垂直な面で切断した断面図である。図１および図２に示すように、使い捨ておむつ１は、略シート状の本体部２、および、本体部２の両側部（すなわち、左右方向の両側）上に配置されて本体部２の長手方向のおよそ全長に亘る一対のサイドシート３を備える。ここで、上述の長手方向を第１の方向とすると、左右方向は、第１の方向に垂直、かつ、本体部２の主面に略平行な第２の方向である。
【００２２】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。使い捨ておむつ１では、本体部２が前方部２０１、股下部２０２および後方部２０３を長手方向に順に有し、前方部２０１および後方部２０３の幅が、股下部２０２の幅よりも大きい。
【００２３】
使い捨ておむつ１は、後方部２０３の両側部に取り付けられた一対の接続部４をさらに備える。使い捨ておむつ１が着用者に装着される際には、本体部２の前方部２０１および後方部２０３をそれぞれ着用者の腹側および背側に当接させた状態で、一対の接続部４が、図３に示すように、前方部２０１の外面（すなわち、着用者に接する面とは反対側の面）の被止着部２６に止着されることにより、後方部２０３の両側部が前方部２０１の両側部に接続される。
【００２４】
図１および図２に示すように、本体部２は、透液性のトップシート２１、撥水性または不透液性のバックシート２３、および、トップシート２１とバックシート２３との間に配置された吸収コア２２を備える。図２では、図示の都合上、使い捨ておむつ１の各構成を厚さ方向に離して描いている。また、図１では、図の理解を容易にするために、吸収コア２２の輪郭を太破線にて描いている。図１に示すように、前方部２０１および後方部２０３における吸収コア２２の幅は、股下部２０２における吸収コア２２の幅よりも大きい。換言すれば、吸収コア２２は、いわゆる砂時計型である。
【００２５】
図３に示す被止着部２６は、バックシート２３の外面（すなわち、吸収コア２２と対向する面とは反対側の面）上に、平面視において吸収コア２２（図１および図２参照）と重なるように接合される。被止着部２６は、バックシート２３上にホットメルト接着剤等により接合される面ファスナのループ部材であり、樹脂等により形成されたベースシート、および、ベースシートのバックシート２３に接合される面とは反対側の面に設けられる微細ループ構造を有する。微細ループ構造とは、多数の微細なループ要素の集合を意味する。
【００２６】
図２に示すように、トップシート２１は、吸収コア２２の周りにおいてホットメルト接着剤を介してバックシート２３に接合される。また、サイドシート３の左右方向の外側の部位は、バックシート２３のトップシート２１から露出する部位、および、トップシート２１の左右方向のエッジ近傍の部位に、長手方向の全長に亘ってホットメルト接着剤を介して接合される。サイドシート３は、サイドシート本体３１、および、サイドシート本体３１の左右方向の内縁部である自由端にホットメルト接着剤により接合されて長手方向に伸びる弾性部材３２ａを備える。
【００２７】
図１に示す本体部２の長手方向の両端部では、各サイドシート３の左右方向の内側の部位（すなわち、本体部２の左右方向の中心軸側の部位）が、トップシート２１の着用者側の面にホットメルト接着剤を介して接合される。また、本体部２の股下部２０２では、サイドシート３の左右方向の外縁近傍の部位において、長手方向に伸びる２本の弾性部材３２ｂが、サイドシート３とバックシート２３とに挟まれてホットメルト接着剤により接合されている。これらのホットメルト接着剤としては、ポリオレフィン系、ゴム系、酢酸ビニル系等のものが利用される。なお、トップシート２１とバックシート２３との接合やサイドシート３とトップシート２１との接合は、熱融着接合や超音波接合等により行われてもよい。
【００２８】
図１および図２に示す各サイドシート３では、サイドシート本体３１の長手方向の両端部の間（すなわち、長手方向の中央部）における内側の部位３１３が、トップシート２１（および他の構成）とは非接合とされており、弾性部材３２ａが収縮することにより、当該部位３１３が、図２に示すように、着用者に向かって立ち上がり、着用者の脚の付け根近傍に当接する側壁部（いわゆる、立体ギャザー）となる。また、弾性部材３２ｂが収縮することにより、サイドシート３およびバックシート２３が着用者側かつ内側に向かって立ち上がってレッグギャザーが形成され、使い捨ておむつ１の着用時に着用者の足の付け根近傍に密着する。
【００２９】
図１に示すように、本体部２の長手方向の両端部にはそれぞれ、トップシート２１とバックシート２３とに挟まれるとともに左右方向に伸びる複数の弾性部材２５が設けられる。使い捨ておむつ１では、伸張状態にてトップシート２１およびバックシート２３に接合された弾性部材２５が収縮することによりウエストギャザーが形成され、使い捨ておむつ１の着用時に本体部２が着用者の腰周りに密着する。使い捨ておむつ１では、弾性部材３２ａ，３２ｂ、並びに、弾性部材２５により本体部２が着用者に密着することにより、脚周りおよび腰周りからの尿等の漏出が防止される。
【００３０】
トップシート２１は、透液性のシート材料であり、着用者からの排泄物の水分を速やかに捕捉して吸収コア２２へと移動させる。トップシート２１は、例えば、表面を界面活性剤により親水処理した疎水性繊維（ポリプロピレン、ポリエチレン、ポリエステル、ポリアミド、ナイロン等）にて形成された透液性の不織布であり、当該不織布として、例えば、ポイントボンド不織布やエアスルー不織布、スパンボンド不織布が利用される。なお、トップシート２１として、セルロースやレーヨン、コットン等の親水性繊維により形成された不織布（例えば、スパンレース不織布）が利用されてもよい。
【００３１】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００３２】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００３３】
サイドシート本体３１としては、例えば、疎水性繊維にて形成された撥水性または不透液性の不織布（スパンボンド不織布やメルトブロー不織布、ＳＭＳ不織布等）が利用される。弾性部材３２ａ，３２ｂ，２５としては、例えば、ポリウレタン糸、帯状のポリウレタンフィルム、糸状または帯状の天然ゴム等が利用され、本実施の形態では、ポリウレタン糸が各弾性部材として利用される。
【００３４】
図４は、一対の接続部４のうち一方の接続部４近傍を拡大して示す平面図であり、他方の接続部４の構造も図４に示すものと同様である。一対の接続部４はそれぞれ、本体部２の後方部２０３から左右方向へと延びる略矩形状の共通基部４２と、本体部２の長手方向（すなわち、図１および図４中の上下方向であり、以下、「本体長手方向」ともいう。）に配列されるとともにそれぞれが共通基部４２から左右方向へと延びる２つの止着テープ４１とを備える。２つの止着テープ４１の構造および形状は同様である。図４では、止着テープ４１や共通基部４２を折り畳まずに展開した展開状態における接続部４を示す。２つの止着テープ４１は、展開状態における共通基部４２の本体部２から最も離れた最外エッジ４２１（すなわち、図４中の右側のエッジ）において、最外エッジ４２１の本体長手方向の両端４２３から離れた位置から左右方向へと延びる。各止着テープ４１の左右方向の長さは、共通基部４２の本体部２から露出している部位の左右方向の長さよりも長い。
【００３５】
各接続部４では、２つの止着テープ４１のそれぞれが、テープ状のテープ基部４１３、並びに、テープ基部４１３の一方の主面４１４（すなわち、図４中における手前側の面）上に設けられる２つの止着部４１１，４１２を備える。以下の説明では、共通基部４２から遠い側の止着部４１１を「第１止着部４１１」といい、もう１つの止着部４１２を「第２止着部４１２」という。図４では、図の理解を容易にするために、第１止着部４１１および第２止着部４１２に平行斜線を付す。テープ基部４１３の主面４１４は、使い捨ておむつ１を着用者に装着する際に本体部２の前方部２０１（図３参照）に対向する面であり、以下、「内面４１４」という。
【００３６】
第１止着部４１１は、テープ基部４１３の先端部４１８に設けられ、第２止着部４１２は、テープ基部４１３の内面４１４において第１止着部４１１と共通基部４２との間に、第１止着部４１１と離間して設けられる。各テープ基部４１３の内面４１４では、第１止着部４１１および第２止着部４１２が、テープ基部４１３を本体長手方向に横断するように設けられる。換言すれば、第１止着部４１１および第２止着部４１２は、テープ基部４１３の幅方向（すなわち、本体長手方向に一致する方向）においてテープ基部４１３の全幅に亘って設けられる。
【００３７】
第１止着部４１１および第２止着部４１２はそれぞれ、本体部２の前方部２０１の外面に設けられた被止着部２６（図３参照）に対して止着可能な面ファスナのフック部材であり、テープ基部４１３の内面４１４上にホットメルト接着剤等により接合される。第１止着部４１１および第２止着部４１２はそれぞれ、樹脂等により形成されたベースシート、および、ベースシートのテープ基部４１３に接合される面とは反対側の面に設けられる微細フック構造を有する。第１止着部４１１および第２止着部４１２にそれぞれ設けられた微細フック構造は、多数の微細なフック要素の集合であり、被止着部２６の微細ループ構造と互いに係合する（すなわち、被止着部２６に対して止着可能である。）。
【００３８】
各接続部４では、２つの止着テープ４１の２つのテープ基部４１３、および、共通基部４２は樹脂や不織布等により形成された１つの接続部シート４０の一部であり、２つのテープ基部４１３はそれぞれ、共通基部４２から左右方向の外側（すなわち、本体部２とは反対側）に向かって突出する。また、共通基部４２の内端部（接続部シート４０の内端部でもある。）は、本体部２のサイドシート３とバックシート２３との間に挟まれて接合される。
【００３９】
換言すれば、２つのテープ基部４１３は、本体部２側にて連続する１つの接続部シート４０の一部であり、接続部シート４０における２つのテープ基部４１３の接続部分である共通基部４２は、本体部２の側方エッジ２７から側方へとはみ出している。なお、トップシート２１（図２参照）の外縁がバックシート２３の外縁に比較的近い位置に位置している場合には、共通基部４２の内端部は、トップシート２１とバックシート２３との間に接合されてもよい。
【００４０】
各止着テープ４１では、テープ基部４１３の幅（すなわち、図４中の上下方向である本体長手方向におけるテープ基部４１３の幅）が、共通基部４２から離れてテープ基部４１３の先端部４１８に向かうに従って漸次減少する。第２止着部４１２の第１止着部４１１側のエッジ４１２１（以下、「外エッジ４１２１」という。）と本体部２の側方エッジ２７との間の左右方向の距離は、外エッジ４１２１とテープ基部４１３の先端との間の左右方向の距離よりも大きい。また、第２止着部４１２の共通基部４２側のエッジ４１２２（以下、「内エッジ４１２２」という。）と本体部２の側方エッジ２７との間の左右方向の距離は、内エッジ４１２２とテープ基部４１３の先端との間の左右方向の距離よりも小さい。
【００４１】
使用前の状態における使い捨ておむつ１では、図５に示すように、一対の接続部４が左右方向の内側（すなわち、本体部２側）に折り返されて本体部２に仮止着されている。図５は、使用前の状態における使い捨ておむつ１の一方の接続部４近傍を拡大して示す平面図であり、他方の接続部４も図５と同様に折り返されて本体部２に仮止着されている。図６は、接続部４近傍の部位を図５中のＢ−Ｂの位置にて切断した断面図である。なお、仮止着とは、２つの部位を、剥離可能な状態で互いに止着することであり、剥離する際には、当該２つの部位は、破損することなく容易に剥離される。
【００４２】
図５および図６に示すように、接続部４は、本体長手方向に延びる第１折り返し線４５１および２本の第２折り返し線４５２にて折り返される。第１折り返し線４５１は、共通基部４２上において本体部２の側方エッジ２７近傍に位置する。２本の第２折り返し線４５２は、２つの止着テープ４１の第１止着部４１１と第２止着部４１２との間のテープ基部４１３上において、第２止着部４１２の外エッジ４１２１近傍に位置する。本実施の形態では、第１折り返し線４５１は、本体部２の側方エッジ２７とおよそ重なり、第２折り返し線４５２は、第２止着部４１２の外エッジ４１２１とおよそ重なる。
【００４３】
以下の説明では、接続部４の第１折り返し線４５１と第２折り返し線４５２との間の部位を「第１折り返し部４６」といい、２本の第２折り返し線４５２よりも先端部４１８側の２つの部位をそれぞれ「第２折り返し部４７」という。第１折り返し部４６および２つの第２折り返し部４７は、使用前の状態における一対の接続部４のそれぞれに含まれる。第１折り返し部４６は、共通基部４２の内面４２２と本体部２の着用者側の面とが対向するように共通基部４２が第１折り返し線４５１にて折り返されることにより形成される。２つの第２折り返し部４７は、それぞれの第１止着部４１１と共通基部４２の内面４２２とが対向するように２つの止着テープ４１が２本の第２折り返し線４５２にて折り返されることにより形成される。第１折り返し部４６は本体部２に対向し、２つの第２折り返し部４７は本体部２と第１折り返し部４６との間に位置する。各第２折り返し部４７の左右方向の長さは、第１折り返し部４６の左右方向の長さよりも短い。
【００４４】
図７は、第１折り返し部４６を左右方向に展開した状態、すなわち、接続部４の２つの止着テープ４１を２本の第２折り返し線４５２のみにて折り返した状態を示す一方の接続部４の平面図である。使い捨ておむつ１の製造工程では、図７に示す状態の接続部４に仮止着用接着剤４８が塗布される。図７では、図の理解を容易にするために、仮止着用接着剤４８に平行斜線を付す（図５においても同様）。なお、他方の接続部４においても、図７と同様の位置に仮止着用接着剤４８が塗布される。
【００４５】
仮止着用接着剤４８は、共通基部４２の最外エッジ４２１近傍において本体長手方向に平行な帯状にコータ等により塗布される。仮止着用接着剤４８は、第１折り返し部４６および２つの第２折り返し部４７上において、本体長手方向に連続して設けられている。換言すれば、接続部４では、第１折り返し部４６の本体長手方向の全長に亘って、仮止着用接着剤４８が第１折り返し部４６および２つの第２折り返し部４７上に設けられる。
【００４６】
仮止着用接着剤４８の本体長手方向の両端部は、共通基部４２の最外エッジ４２１近傍の角部に位置する。仮止着用接着剤４８と共通基部４２の最外エッジ４２１との間の左右方向の距離Ｌ１（すなわち、仮止着用接着剤４８と最外エッジ４２１との間の仮止着用接着剤が設けられていない領域の幅）は、最外エッジ４２１の両端４２３から最寄りの止着テープ４１の付け根位置までの本体長手方向における距離Ｌ２よりも小さい。
【００４７】
仮止着用接着剤４８は、２つの第２折り返し部４７の間において第１折り返し部４６の内面４２２に設けられており、また、２つの第２折り返し部４７の本体長手方向における両側（すなわち、図７中の上側の第２折り返し部４７の上側、および、図７中の下側の第２折り返し部４７の下側）において、第１折り返し部４６の内面４２２に設けられている。仮止着用接着剤４８は、２つの第２折り返し部４７の外面４１５（すなわち、テープ基部４１３の内面４１４とは反対側の主面）にも設けられている。仮止着用接着剤４８は、左右方向に関して、各止着テープ４１の第１止着部４１１と第２止着部４１２との間に位置する。
【００４８】
仮止着用接着剤４８としては、例えば、ホットメルト接着剤が利用される。仮止着用接着剤４８は、例えば、スチレン系、オレフィン系、塩化ビニル系等の熱可塑性エラストマーを主剤として含む。本実施の形態では、スチレン・ブタジエン系熱可塑性エラストマーに粘着付与剤および可塑剤を添加した接着剤が、仮止着用接着剤４８として利用される。
【００４９】
使用前の状態における使い捨ておむつ１では、図５および図６に示すように、仮止着用接着剤４８により、第１折り返し部４６が本体部２に仮止着されており、２つの第２折り返し部４７も第１折り返し部４６と共に本体部２に仮止着されている。そして、使い捨ておむつ１が使用される際には、接続部４が本体部２から離れるように引っ張られることにより、仮止着用接着剤４８による仮止着が解除され、接続部４が図４に示す展開状態とされる。
【００５０】
以上に説明したように、使い捨ておむつ１では、使用前の状態における一対の接続部４のそれぞれが、第１折り返し部４６と２つの第２折り返し部４７とを含み、２つの第２折り返し部４７の本体長手方向における両側および間において、第１折り返し部４６に仮止着用接着剤４８が設けられて第１折り返し部４６が本体部２に仮止着されている。このように、共通基部４２の最外エッジ４２１近傍の部位が本体部２に仮止着されることにより、共通基部４２の左右方向の端部が捲れることを抑制することができる。その結果、第１折り返し部４６が本体部２から剥離して離間してしまうことを抑制することができる。
【００５１】
また、２つの第２折り返し部４７にも仮止着用接着剤４８が設けられ、第２折り返し部４７も本体部２に仮止着されることにより、接続部４の本体部２に対する仮止着の強度を増大することができる。その結果、第１折り返し部４６および第２折り返し部４７が本体部２から剥離して離間してしまうことをより抑制することができる。さらに、仮止着用接着剤４８が、第１折り返し部４６および２つの第２折り返し部４７上において本体長手方向に連続して設けられることにより、共通基部４２の端部のうち特に捲れやすい最外エッジ４２１の両端４２３近傍の部位（すなわち、共通基部４２の角部）が捲れることを抑制することができる。その結果、第１折り返し部４６および第２折り返し部４７が本体部２から剥離して離間してしまうことをより一層抑制することができる。また、仮止着用接着剤４８が本体長手方向に連続しているため、コータ等により仮止着用接着剤４８を容易に塗布することができる。
【００５２】
上述のように、接続部４では、共通基部４２の最外エッジ４２１と仮止着用接着剤４８との間の距離Ｌ１が、最外エッジ４２１の両端４２３から最寄りの止着テープ４１の付け根位置までの距離Ｌ２よりも小さい。このように、仮止着用接着剤４８が、共通基部４２の両端４２３近傍の部位にも設けられることにより、共通基部４２の角部が捲れることをより一層抑制することができる。その結果、第１折り返し部４６および第２折り返し部４７が本体部２から剥離して離間してしまうことをさらに抑制することができる。
【００５３】
接続部４では、各止着テープ４１に左右方向に離間する第１止着部４１１および第２止着部４１２が設けられる。止着テープ４１において、第１止着部４１１および第２止着部４１２が設けられた部位は、止着部が設けられていない部位に比べて比較的剛性が高く、かつ、比較的厚い。接続部４では、使用前の状態における各止着テープ４１が、第１止着部４１１と第２止着部４１２との間の比較的剛性が低い部位にて折り返されることにより、止着テープ４１を容易に折り返して第２折り返し部４７を容易に形成することができる。
【００５４】
また、仮止着用接着剤４８が、第１止着部４１１と第２止着部４１２との間の比較的薄い部位に位置するため、コータ等により仮止着用接着剤４８を容易に塗布することができる。さらに、第１折り返し部４６および第２折り返し部４７において仮止着用接着剤４８が設けられる部位の剛性が比較的低く、本体部２の仮止着用接着剤４８と接触する部位の剛性も比較的低いため、両部位のうち一方の部位が捩れた場合、他方の部位が容易に変形して捩れに追従する。その結果、仮止着用接着剤４８による仮止着の意図しない剥離を抑制し、第１折り返し部４６および第２折り返し部４７が本体部２から離間してしまうことをさらに抑制することができる。
【００５５】
上述のように、２つの止着テープ４１はそれぞれ、第２止着部４１２の外エッジ４１２１近傍にて折り返される。このため、図５に示す使用前の状態の使い捨ておむつ１において、第１折り返し部４６の左右方向の内側の端部（すなわち、本体部２の側方エッジ２７から左右方向に最も離れた部位）に第２止着部４１２が位置する。これにより、比較的剛性が高い第２止着部４１２を把持して、仮止着用接着剤４８による仮止着を容易に解除することができる。また、テープ基部４１３が例えば不織布により形成されている場合、折り返された第２折り返し部４７が第２止着部４１２により仮止着されるため、第１折り返し部４６と第２折り返し部４７とをまとめて容易に取り扱うことができる。
【００５６】
さらに、各止着テープ４１では、テープ基部４１３の幅が、共通基部４２から離れてテープ基部４１３の先端部４１８に向かうに従って漸次減少する。このため、第２折り返し部４７の本体長手方向の両側に第２止着部４１２の一部がはみ出る。そして、第２折り返し部４７の両側に露出する第２止着部４１２の一部が本体部２に仮止着されることにより、第１折り返し部４６および第２折り返し部４７が本体部２から剥離して離間してしまうことをより一層抑制することができる。
【００５７】
次に、本発明の第２の実施の形態に係る使い捨ておむつについて説明する。図８は、第２の実施の形態に係る使い捨ておむつの一方の接続部４ａを拡大して示す平面図である。図８では、図７と同様に、第１折り返し部４６を左右方向に展開した状態、すなわち、接続部４ａの２つの止着テープ４１を２本の第２折り返し線４５２のみにて折り返した状態を示す図である。接続部４ａでは、２つの第２折り返し部４７の本体長手方向の両側および間に仮止着用接着剤４８が設けられ、２つの第２折り返し部４７上には仮止着用接着剤は設けられない。その他の構成は、図１ないし図７に示す使い捨ておむつ１と同様であり、以下の説明では、対応する構成に同符号を付す。
【００５８】
接続部４ａでは、第２折り返し部４７が第１折り返し部４６上に折り返された状態で、仮止着用接着剤４８が本体長手方向に間欠的に塗布されることにより、仮止着用接着剤４８が第１折り返し部４６上のみに設けられる。仮止着用接着剤４８は、第２折り返し部４７上（すなわち、第２折り返し部４７の第１折り返し部４６とは反対側）、および、第１折り返し部４６と第２折り返し部４７との間には設けられない。接続部４ａでは、また、第２折り返し部４７が第１折り返し部４６上に折り返されるよりも前に、第１折り返し部４６の本体長手方向の全長に亘って仮止着用接着剤４８が塗布され、その後、第２折り返し部４７が折り返されてもよい。これにより、仮止着用接着剤４８は、第１折り返し部４６上に設けられ、第２折り返し部４７上には設けられない。この場合、第２折り返し部４７は、第１折り返し部４６と第２折り返し部４７との間の図示省略の仮止着用接着剤４８により、第１折り返し部４６上に仮止着される。
【００５９】
図９は、図５と同様に、使用前の状態（すなわち、接続部４ａが第１折り返し線４５１および２本の第２折り返し線４５２にて折り返された状態）における接続部４ａ近傍を拡大して示す平面図である。図９に示すように、第１折り返し部４６上において、仮止着用接着剤４８は、第１の実施の形態と同様の位置に設けられる。このように、少なくとも、２つの第２折り返し部４７の本体長手方向の両側および間に仮止着用接着剤４８が設けられることにより、第１の実施の形態と同様に、共通基部４２の左右方向の端部が捲れることを抑制し、第１折り返し部４６が本体部２から剥離して離間してしまうことを抑制することができる。
【００６０】
また、使用前の状態において、２つの第２折り返し部４７と本体部２との間には仮止着用接着剤は存在しない。これにより、使い捨ておむつ１を着用者に装着した際に、接続部４ａの外面（すなわち、本体部２に対向する主面とは反対側の主面）に仮止着用接着剤が存在せず、接続部４ａの外面が着衣に付着してしまうことを防止することができる。
【００６１】
以上、本発明の実施の形態について説明してきたが、本発明は上記実施の形態に限定されるものではなく、様々な変更が可能である。
【００６２】
仮止着用接着剤４８は、必ずしも上述の実施の形態にて示した位置に設けられる必要はない。また、本発明に関連する技術では、例えば、図１０に示す接続部４ｂのように、仮止着用接着剤４８が、左右方向に関して各止着テープ４１の第１止着部４１１と重なる位置において、第１折り返し部４６および２つの第２折り返し部４７上に本体長手方向に連続して設けられてもよい。
【００６３】
第１折り返し線４５１は、例えば、本体部２の側方エッジ２７から左右方向の外側に離間して設けられてもよい。第２折り返し線４５２は、例えば、第１止着部４１１と第２止着部４１２との間において、第２止着部４１２の外エッジ４１２１から離間して設けられてもよく、第２止着部４１２と共通基部４２との間に設けられてもよい。
【００６４】
各止着テープ４１では、テープ基部４１３の内面４１４に微細フック構造が直接形成されて第１止着部４１１および第２止着部４１２が形成されてもよく、本体部２では、前方部２０１の外面に微細ループ構造が直接形成されて被止着部２６とされてもよい。また、止着テープ４１の第１止着部４１１および第２止着部４１２は、必ずしも面ファスナのフック部材である必要はなく、例えば、面ファスナのループ部材であってもよい。この場合、本体部２の前方部２０１の外面に設けられた被止着部２６が面ファスナのフック部材となる。換言すれば、互いに係合する微細フック構造および微細ループ構造のうち一方が本体部２の前方部２０１に設けられ、他方が第１止着部４１１および第２止着部４１２に設けられていればよい。
【００６５】
第１止着部４１１および第２止着部４１２は、例えば粘着材の層であり、本体部２の前方部２０１に当該粘着材が止着されるプラスチックフィルム等の被止着部２６が設けられてもよい。各止着テープ４１に設けられる止着部の個数は２つには限定されず、１つまたは３つ以上の止着部が設けられてもよい。各止着テープ４１の本体長手方向の幅は、例えば、テープ基部４１３の左右方向のおよそ全長に亘って一定であってもよい。各接続部では、３つ以上の止着テープ４１が設けられてもよい。
【００６６】
上記実施の形態および各変形例における構成は、相互に矛盾しない限り適宜組み合わされてよい。
【符号の説明】
【００６７】
１    使い捨ておむつ
２    本体部
４，４ａ，４ｂ    接続部
２６    被止着部
４１    止着テープ
４２    共通基部
４６    第１折り返し部
４７    第２折り返し部
４８    仮止着用接着剤
２０１    前方部
２０２    股下部
２０３    後方部
４１１    第１止着部
４１２    第２止着部
４１３    テープ基部
４１４    内面
４２１    最外エッジ
４２２    内面
４２３    両端
【図１】
0005999906.tif 000002
【図２】
0005999906.tif 000003
【図３】
0005999906.tif 000004
【図４】
0005999906.tif 000005
【図５】
0005999906.tif 000006
【図６】
0005999906.tif 000007
【図７】
0005999906.tif 000008
【図８】
0005999906.tif 000009
【図９】
0005999906.tif 000010
【図１０】
0005999906.tif 000011